【手続補正書】
【提出日】平成19年3月16日(2007.3.16)
【手続補正１】
【補正対象書類名】明細書
【補正対象項目名】００２０
【補正方法】変更
【補正の内容】
【００２０】
（甲形分水栓（下胴）の取外し）
（１）甲形分水栓１０の下胴１０ｂの外面をブラシで清掃する。下胴１０ｂは、上記工程で施工された閉栓コマ２２により止水されている。
（２）甲形分水栓１０周辺の管表面に付いている泥や異物をウエス等で十分清掃し、その表面に凹凸が無いように仕上げる。
（３）下胴１０ｂに引抜きプラグ３４をセットする（図１５参照）。
（４）六角レンチｒにて引抜きプラグ３４にビス３４ａを締付けてそのビス３４ａ先端を下胴１０ｂに圧接させ、その引抜きプラグ３４を下胴１０ｂから外れないように固定する。
（５）水道管１にサドル付分水栓（止水用部材）３０をセットし、その固定用のサドル３３をボルト３３ａ・ナット３３ｂで水道管１に締付ける（図１６参照）。この締付けには、トルクレンチを使用する（実施例では、締め付けトルクＴは、Ｍ１６の場合６０Ｎ−ｍ、またはＭ２０の場合７５Ｎ−ｍとする。）。
サドル付分水栓３０は、下胴１０ｂ周囲に筒状に立上がり、その一端３１全周が水道管１の外周面に水密に接し、他端３２が内部に収納された下胴１０ｂの上端よりも高くなっている。また、その他端３２は開口しており、その開口が、開閉バルブ３６により開閉自在である。
このサドル付分水栓３０を取り付ける際には、必ず開閉バルブ３６が全開の状態で取付けるようにする。また、サドル付分水栓３０は、その一端３１から他端３２に向かう流路の方向（前記筒軸方向）が水道管１に対して垂直になるように取付ける。
（６）サドル付分水栓３０に工具を使用して、アダプタ３５を取付ける（同じく図１６参照）。
（７）サドル付分水栓３０の他端３２に設けたアダプタ３５に手締めにて下胴取外し機（スピンドル支持具）４０を取付ける（図１７参照）。下胴取外し機４０は、軸状のスピンドル４１をサドル付分水栓３０の前記筒軸方向に進退自在に支持するとともに、外側から回転操作可能である。また、下胴取外し機４０は、サドル付分水栓３０のアダプタ３５に取り付けられた状態において前記他端３２を常に閉塞し、水漏れしないようになっている。
この、スピンドル４１を左回転させることにより、スピンドル４１は水道管１に向かって降下し、その先端４１ａを、図１７に示すように、前記引抜きプラグ３４上端のねじ部３４ｂにねじ込んでセットする。
（８）工具を使用して、アダプタ３５に下胴取外し機４０をしっかりと取付ける。
（９）スピンドル４１にハンドル４３をセットする。次に、ハンドル４３を左回転させて、水道管１から引抜きプラグ３４とともに下胴１０ｂを取外す（図１８参照）。この下胴１０ｂを水道管１より取外す際に、ハンドル４３の回転に過大な負荷がかかる場合はラチェットレンチを使用する。下胴１０ｂが水道管１の穿孔部２から外れると、ハンドル４３を回転させる抵抗が軽くなるので、さらに回転させてスピンドル４１を完全に引上げる。完全に引き上げないと、そのスピンドル４１や、取り外した下胴１０ｂが、開閉バルブ３６に引っ掛かり止水できないので注意する。
（１０）開閉バルブ３６の開閉操作部３６ｃを操作して、バルブを閉にする（同じく図１８参照）。
（１１）サドル付分水栓３０から工具を使用してアダプタ３５及び下胴取外し機４０を取外す。
【手続補正２】
【補正対象書類名】明細書
【補正対象項目名】００２１
【補正方法】変更
【補正の内容】
【００２１】
（止水プラグの取付け）
（１）止水プラグ５２にシールテープｃを巻く（図１９（ｂ）参照）。
（２）図１９（ａ）（ｂ）に示すプラグ挿入機（スピンドル支持具）５０に設けた軸状のスピンドル５１の先端５１ａに設けた角部５３を、止水プラグ５２の嵌合孔５２ｃに嵌めて取付け、パッキン５２ｂを介してしっかりと固定する。そのスピンドル５１を左回転させて、止水プラグ５２を最上部位置まで引上げておく。
（３）サドル付分水栓３０に工具を使用してプラグ挿入機５０を取付ける（図１９（ａ）参照）。プラグ挿入機５０は、前記スピンドル５１をサドル付分水栓３０の筒軸方向に進退自在に支持するとともに外側から回転操作可能である。また、プラグ挿入機５０は、サドル付分水栓３０の他端３２に取り付けた状態において、その他端３２を常に水密に閉塞し水漏れしないようになっている。
（４）開閉バルブ３６の開閉操作部３６ｃを操作してバルブを開にする（同じく図１９（ａ）参照）。このとき、スピンドル５１は最上部まで引上げておく。
（５）スピンドル５１の上端部にハンドル５５を取り付け、そのハンドル５５をスピンドル５１とともに押し込んで、止水プラグ５２が水道管１の穿孔部２に当たるところで停止させる。このとき、スピンドル５１の先端角部５３は、止水プラグ５２の嵌合孔５２ｃに嵌っている（嵌合孔５２ｃは、図１９（ｂ）参照）ので、そのハンドル５５を右回転させれば、止水プラグ５２のねじ部５２ａが穿孔部２のねじ部にねじ込まれて固定される（図２０参照）。
このとき、止水プラグ５２には水圧が作用しているため、ハンドル５５の押込み中は、そのハンドル５５から手を離さないようにする。止水プラグ５２が穿孔部２のねじ部に挿入されるとハンドル５５を回転する操作が重たくなる。
（６）開閉バルブ３６のコック付ナットのコック３６ｂを開にして、完全に止水できているかどうかを確認する（図２０参照）。完全に止水できていない場合は、ハンドル５５を更に増締めする。
（７）コック付ナットのコック３６ｂを閉にする。
（８）サドル付分水栓３０からプラグ挿入機５０を取外す。
（９）水道管１より、サドル付分水栓３０を取外す。
（１０）止水プラグ５２に専用シャフト５６及びハンドル５７をセットし、そのハンドル５７を右回転させて、止水プラグ５２を増締めする。なお、止水プラグ５２はテーパネジであり、増し締めすることによりその止水効果も増す（図２１，２２参照）。
（１１）水道管１に保護用サドル５８をセットし、ボルト５８ａ及びナット５８ｂはトルクレンチを使用して締付ける。（Ｔ＝Ｍ１６：６０またはＭ２０：７５Ｎ−ｍ）
止水プラグ５２が保護用サドル５８の穴中心にくるように保護用サドル５８をセットし、ボルト５８ａ及びナット５８ｂを使用して締付ける。締付けトルクＴは、Ｍ１６の場合、６０Ｎ−ｍ、またはＭ２０の場合７５Ｎ−ｍとする。上記保護用サドル５８の止水プラグ５２を覆うようにキャップ５９を取付ける（図２３参照）。
（１２）施工完了。
【手続補正３】
【補正対象書類名】明細書
【補正対象項目名】００２２
【補正方法】変更
【補正の内容】
【００２２】
【図１】一実施例を示し、分水栓のナットを取り外した状態を示す。
【図２】（ａ）は、図１の分水栓の止水コマを引き上げた後、止水コマにコマ回しを取り付けた状態を示し、（ｂ）は止水コマ、コマ回しの詳細を示す。
【図３】止水コマにアダプタ及び開閉バルブを取り付けた状態を示す。
【図４】図３に示す開閉バルブの上方にコマ取外し機を取り付けた状態を示す。
【図５】図４に示すコマ取外し機のスピンドルを引き上げた状態を示す。
【図６】図５に示すスピンドルを引き上げた状態において、開閉バルブを操作して閉にした状態を示す。
【図７】（ａ）は、閉栓コマ挿入機とスピンドル、及び閉栓コマの取付状態を示し、（ｂ）（ｃ）は閉栓コマの詳細を示す。
【図８】開閉バルブの上方に閉栓コマ挿入機を取り付けた状態を示す。
【図９】閉栓コマ挿入機のスピンドルを降下させた状態を示す。
【図１０】（ａ）は、図９に示すスピンドルに閉栓コマ締付けハンドルを挿入した状態を示し、（ｂ）（ｃ）は閉栓コマの拡径状態を示す詳細図。
【図１１】閉栓コマの拡径後、閉栓コマ締付けハンドルを引き上げる際の操作を示す。
【図１２】図１１に示す閉栓コマ挿入機を取り外した状態を示す。
【図１３】図１２に示す開閉バルブを取り外した状態を示す。
【図１４】図１３に示す上胴を取り外した状態を示す。
【図１５】下胴に引抜きプラグを取り付けた状態を示す。
【図１６】図１５に示す下胴周囲にサドル付分水栓（止水用部材）を取り付けた状態を示す。
【図１７】図１６に示すサドル付分水栓のアダプタに下胴取外し機を取り付けた状態を示す。
【図１８】図１７に示す下胴取外し機のスピンドルを回転させて引き上げた状態を示す。
【図１９】（ａ）は、サドル付分水栓にプラグ挿入機を取り付けた状態を示し、（ｂ）は、シールを施した止水用プラグとプラグ挿入機のスピンドル先端の詳細を示す。
【図２０】図１９に示すプラグ挿入機のスピンドルを降下させた状態を示す。
【図２１】図２０に示す開閉バルブからプラグ挿入機を取り外し、止水用プラグを増締めする状況を示す。
【図２２】止水用プラグの装着完了状態を示す。
【図２３】図２２に示す止水用プラグ周囲に保護用サドルを取り付けた状態を示す。
【手続補正４】
【補正対象書類名】図面
【補正対象項目名】図２０
【補正方法】変更
【補正の内容】
【図２０】
2007024178.tif 000001